(57)【要約】【課題】  アンテナ効率の向上を図ると共に装置の小型化を図る。【解決手段】  リモートコントローラとディスク再生装置１より構成させる再生システムにおいて、ディスク再生装置は、ディスク状記録媒体１００とディスク状記録媒体に記録されるデータの読取を行う光学ピックアップ１３が配置されたメカシャーシ１１と、アンテナ１８、１９を介して外部機器と通信する通信用回路基板１７とを備え、ディスク再生装置のディスク状記録媒体は、メカシャーシと通信用回路基盤との間に配置され、リモートコントローラからの信号によってディスク再生装置のディスク状記録媒体に記録されたデータの再生を行う。【選択図】図２
2007122873.tif 000002
【特許請求の範囲】
【請求項１】
リモートコントローラと再生装置より構成させる再生システムにおいて、
上記再生装置は、記録媒体と、上記記録媒体に記録されるデータの読取を行うデータ読取部が配置されたメカシャーシと、アンテナを介して外部機器と通信する通信用回路基板とを備え、
上記再生装置の上記記録媒体は、上記メカシャーシと上記通信用回路基盤との間に配置され、
上記リモートコントローラからの信号によって上記再生装置の上記記録媒体に記録されたデータの再生を行う
ことを特徴とする再生システム。
【請求項２】
上記リモートコントローラの操作によって上記再生装置のデータの転送を行う
ことを特徴とする請求項１に記載の再生システム。
【請求項３】
記録媒体と、上記記録媒体に記録されるデータの読取を行うデータ読取部が配置されたメカシャーシと、アンテナを介して外部機器と通信する通信用回路基板とを備え、
上記記録媒体は、上記メカシャーシと上記通信用回路基盤との間に配置される
ことを特徴とする再生装置。
【請求項４】
上記アンテナと上記記録媒体との間に上記通信用回路基板が配置されるように、上記アンテナを上記通信用回路基盤に接続させる
ことを特徴とする請求項３に記載の再生装置。
【請求項５】
上記アンテナは、上記通信用回路基板の外端部に搭載した
ことを特徴とする請求項３に記載の再生装置。
【請求項６】
上記アンテナは、少なくとも２つ設けられ、２つの上記アンテナは互いに直交するように配置された
ことを特徴とする請求項３に記載の再生装置。
【請求項７】
駆動用の回路を有する駆動用回路基板をさらに備え、
上側から、上記通信用回路基板、上記記録媒体、上記メカシャーシ、上記駆動用回路基板の順に配置されている
ことを特徴とする請求項３に記載の再生装置。
【請求項８】
上記メカシャーシと上記アンテナとの距離が７ｍｍ以上である
ことを特徴とする請求項３に記載の再生装置。
【発明の詳細な説明】
【技術分野】
【０００１】
本発明は再生システム及び再生装置に関する。詳しくは、通信によって所定の操作を可能にするための技術に関する。
【背景技術】
【０００２】
ディスク状記録媒体に記録された情報信号の再生を行うディスク再生装置があり、このようなディスク再生装置にあっては、送受信用のアンテナが設けられリモコン操作によって各種の動作、例えば、情報信号の再生を行うことができるものがある。
【０００３】
このような従来のディスク再生装置にあっては、一の回路基板に光学ピックアップやディスクテーブルを動作させる等のための駆動用の回路と送受信を行うためのアンテナを有する通信用の回路とが設けられ、この一の回路基板が光学ピックアップやディスクテーブルが設けられた金属製のメカシャーシの直ぐ下側に配置されている。
【発明の開示】
【発明が解決しようとする課題】
【０００４】
ところが、従来のディスク再生装置のように、アンテナを有する通信用の回路が金属製のメカシャーシの直ぐ下側に配置されメカシャーシとアンテナとの距離が小さいと、特にメカシャーシは金属部分の面積が大きいため、メカシャーシ付近に生じる磁界の発生によりアンテナに悪影響を与え易い。即ち、磁界の発生によってアンテナのインダクタンスが変化して使用周波数からのずれが生じ、アンテナ特性が低下し、通信可能な距離が小さくなる等の不具合を生じてしまう。また、メカシャーシには、光学ピックアップやディスクテーブル等の各部が設けられているため、特に磁界が発生し易くアンテナへの影響が一層大きい。
【０００５】
図５は、上記したアンテナへの影響を模式的に示した図である。
【０００６】
メカシャーシａとアンテナｂとの距離が一定以上の場合（実線で示す状態）、例えば、７ｍｍ以上の場合には、輻射レベルがメカシャーシａの影響をほとんど受けないが、メカシャーシａとアンテナｂ′との距離が小さい場合（破線で示す状態）では、輻射レベルが低下し通信距離が小さくなってしまう。
【０００７】
図６は、アンテナ効率Ｑと周波数ｆとの関係を示すグラフ図である。
【０００８】
図６に示すように、メカシャーシの影響を受けない場合には、使用周波数においてアンテナ効率が極めて高いが（図に実線で示す状態）、メカシャーシ付近に生じる磁界の影響を受けるとアンテナ効率が低下する（図に破線で示す状態）ことが解る。
【０００９】
一方、上記した従来のディスク再生装置にあっては、一の回路基板に駆動用の回路と通信用の回路とがともに設けられているため、その分、回路基板が大きく、これによりディスク再生装置の投影面積が大きく小型化に支障を来たしているという問題もある。
【００１０】
そこで、本発明は、上記した問題点を克服し、アンテナ効率の向上を図ると共に当該装置の小型化を図ることを課題とする。
【課題を解決するための手段】
【００１１】
上記した課題を解決するために、本発明再生システムは、リモートコントローラと再生装置より構成させる再生システムにおいて、再生装置は、記録媒体と、記録媒体に記録されるデータの読取を行うデータ読取部が配置されたメカシャーシと、アンテナを介して外部機器と通信する通信用回路基板とを備え、再生装置の記録媒体は、メカシャーシと通信用回路基盤との間に配置され、リモートコントローラからの信号によって再生装置の記録媒体に記録されたデータの再生を行うものである。また、本発明再生装置は、記録媒体と、記録媒体に記録されるデータの読取を行うデータ読取部が配置されたメカシャーシと、アンテナを介して外部機器と通信する通信用回路基板とを備え、記録媒体は、メカシャーシと通信用回路基盤との間に配置されるものである。
【発明の効果】
【００１２】
従って、本発明にあっては、メカシャーシとアンテナとの距離が大きくなると共に回路基板の配置の自由度が向上する。
【発明を実施するための最良の形態】
【００１３】
以下に、本発明の実施の形態を添付図面を参照して説明する。
【００１４】
尚、以下に示した実施の形態は、本発明を、直径が略６４ｍｍのディスク状記録媒体に記録された情報信号の再生を行うことができるディスク再生装置に適用したものである。
【００１５】
ディスク再生装置１は外筐２内に所要の各部材及び各機構が設けられて成り、外筐２は、本体ケース３と該本体ケース３の後端部に回動自在に支持され本体ケース３の上面を開閉する蓋体４と飾り帯５とから成る（図１及び図２参照）。
【００１６】
外筐２の所定の位置には、所定の各操作を行うための操作摘子２ａ、２ａ、・・・が設けられ、開閉用の操作摘子２ａを操作することにより蓋体４が回動されて本体ケース３の上面側が開放され、内部に設けられた後述するホルダーに対するディスク状記録媒体の挿入及び取出を行うことができるようになっている。
【００１７】
本体ケース３は、底面部３ａと該底面部３ａの後縁から立設された後面部３ｂと底面部３ａの左右両側縁から立設された側面部３ｃ、３ｃとが一体に形成されて成り、側面部３ｃ、３ｃは前方へいくに従って高さが低くなる略三角形状に形成されている（図２参照）。
【００１８】
蓋体４は、例えば、ポリカーボネート等の非磁性材料によって形成され、下方に開口する浅い箱状を為し、天板部６、前面部７、後面部８、左側面部９及び右側面部１０が一体に形成されて成る（図４参照）。
【００１９】
天板部６の内面には、取付ボス６ａ、６ａ、６ａが設けられている。そして、天板部６の内面の後縁部には、左右に離間してＬ字状を為す係止突部６ｂ、６ｂが設けられている。さらに、天板部６の内面には、左側縁部の後端寄りの位置と前縁部の左端寄りの位置とに、浅い逃げ凹部６ｃ、６ｄが形成され、該逃げ凹部６ｃ、６ｄは、天板部６の厚みを他の部分より稍薄肉にすることにより形成されている。
【００２０】
飾り帯５は、後方に開口した略コ字状を為し、前面部５ａと該前面部５ａの両側縁から後方へ突出した側面部５ｂ、５ｂとを有している（図１及び図２参照）。
【００２１】
本体ケース２内には金属材料によって形成されたメカシャーシ１１が配置され、該メカシャーシ１１の略中央部には図示しないスピンドルモーターが取り付けられている。そして、スピンドルモーターのモーター軸の上端部には、メカシャーシ１１から上方へ突出された状態でディスクテーブル１２が固定されている（図２参照）。
【００２２】
メカシャーシ１１には配置孔１１ａが形成され、該配置孔１１ａ内にメカシャーシ１１に支持された光学ピックアップ１３の一部が配置され（図２参照）、該光学ピックアップ１３はディスクテーブル１２に装着されるディスク状記録媒体の半径方向へ移動可能とされている。そして、光学ピックアップ１３は信号読取部として機能し、光学ピックアップ１３によってディスク状記録媒体に記録された情報信号の読取動作が為される。
【００２３】
メカシャーシ１１にはディスク状記録媒体を保持するためのホルダー１４が後端部を支点として回動自在に支持され、該ホルダー１４は金属材料によって各部が一体に形成されている。ホルダー１４は略枠状を為す上面部１４ａと該上面部１４ａの左右両側縁に設けられた支持溝部１４ｂ、１４ｂとを有し、該支持溝部１４ｂ、１４ｂは前端部を除いた部分が、ともに内方に開口された形状に形成されている。
【００２４】
セットシャーシ１５は、メカシャーシ１１の外形より一回り大きな枠部１５ａを有しており、該枠部１５ａがメカシャーシ１１を取り囲むようにして配置される。セットシャーシ１５は連結部１５ｂを有しており、該連結部１５ｂには略前方へ突出する２つの支持アーム１５ｃ、１５ｃが設けられている。そして、連結部１５ｂの支持アーム１５ｃ、１５ｃがホルダー１４の支持溝部１４ｂ、１４ｂの外面に連結されている。
【００２５】
駆動用回路基板１６はメカシャーシ１１より一回り小さい略矩形状に形成されており、該駆動用回路基板１６にはディスクテーブル１２や光学ピックアップ１３等の駆動用の回路が設けられている。そして、駆動用回路基板１６はメカシャーシ１１の直ぐ下側に配置されている（図２参照）。
【００２６】
通信用回路基板１７は、横長の略矩形状を為す第１の部分１７ａと該第１の部分１７ａの左半部から前方へ突出された略矩形状を為す第２の部分１７ｂとから成り、通信用回路基板１７にはアンテナ１８、１９が搭載されている（図２乃至図４参照）。このように通信用回路基板１７に２つのアンテナ１８、１９を設けることにより、通信によって各操作を行う場合の感度の向上を図ることができる。
【００２７】
ディスク再生装置１にあっては、リモコン操作によって各種の信号をアンテナ１８、１９を介して送受信することができ、例えば、リモコン操作によってディスク状記録媒体に記録された情報信号の再生等を行うことができる。尚、再生装置１において、リモコン操作によって音楽データーの転送を行うことができるようにしてもよい。
【００２８】
アンテナ１８、１９はコイル部１８ａ、１９ａと該コイル部１８ａ、１９ａの一端部に連続して設けられた直線部１８ｂ、１９ｂとコイル部１８ａ、１９ａの他端部に連続して設けられた被取付部１８ｃ、１９ｃとが一体に形成されて成る（図３及び図４参照）。そして、アンテナ１８、１９は、それぞれアンテナホルダー２０、２０を介して通信用回路基板１７に取り付けられる（図２乃至図４参照）。
【００２９】
アンテナ１８は、通信用回路基板１７の第１の部分１７ａの左端部に前後に延びるようにして取り付けられ、被取付部１８ｃが通信用回路基板１７に設けられた接合部１７ｃに半田等によって接合される（図３参照）。また、アンテナ１９は、通信用回路基板１７の第２の部分１７ｂの前端部に左右に延びるようにして取り付けられ、被取付部１９ｃが通信用回路基板１７に設けられた接合部１７ｄに半田等によって接合される（図３参照）。
【００３０】
上記のようにしてアンテナ１８、１９が取り付けられた通信用回路基板１７は、後端縁の一部に蓋体４に設けられた係止突部６ｂ、６ｂが係止され、この状態で蓋体４に取付ボス６ａ、６ａ、６ａを介して、ネジ止めによって取り付けられる（図４参照）。通信用回路基板１７が蓋体４に取り付けられた状態においては、アンテナ１８が逃げ凹部６ｃに対応して位置されると共にアンテナ１９が逃げ凹部６ｄに対応して位置される。従って、アンテナ１８、１９が蓋体４の天板部６と干渉することがなく、アンテナ１８、１９が変形しないためアンテナ１８、１９の機能を低下させるようなことがない。また、逃げ凹部６ｃ、６ｄの形成によって蓋体４の高さを制限することができ、即ち、アンテナ１８、１９を配置するために天板部６の一部を上方へ突出するように形成する必要がなく、ディスク再生装置１の大型化を回避することができる。
【００３１】
尚、アンテナ１８、１９には、直線部１８ｂ、１９ｂが形成されているが、直線部１８ｂ、１９ｂを設けることによって擬似的なヘリカルアンテナが構成され、これによりアンテナ効率の向上が図られている。
【００３２】
アンテナ１８、１９は同じ材質で形成され、かつ、略同じ形状及び大きさの指向性アンテナとして形成されている。従って、上記のように、アンテナ１８を前後に延びるようにして通信用回路基板１７に取り付けると共にアンテナ１９を左右に延びるようにして通信用回路基板１７に取り付けることにより、アンテナ１８、１９の最大のエネルギーの放射又は吸収する方向が異なり、これにより感度の向上が図られアンテナ効率の向上を図ることができる。
【００３３】
通信用回路基板１７が蓋体４に取り付けられた状態においては、アンテナ１８がホルダー１４の上面部１４ａの左端部に対応して位置され、アンテナ１９がホルダー１４の上面部１４ａの前端部より前側に位置される（図３参照）。
【００３４】
ホルダー１４は金属材料によって形成されているため、メカシャーシ１１より小さいものの磁界の発生によってアンテナ１８、１９に影響を及ぼす可能性があり、特に、ホルダー１４は上面部１４ａが枠状に形成されているため、上面部１４ａの枠内においては磁界の影響を受け易い。しかしながら、ディスク再生装置１にあっては、上記したように、アンテナ１８、１９が通信用回路基板１７の外端部に取り付けられているため、ホルダー１４付近に発生する磁界によって影響を受け難く、適正なアンテナ特性の維持を図ることができる。
【００３５】
また、アンテナ１８、１９はメカシャーシ１１に対しても該メカシャーシ１１の外周側の部分に対応して位置されるため、メカシャーシ１１付近に発生する磁界によって影響を受け難く、適正なアンテナ特性の維持を図ることができる。
【００３６】
さらに、ホルダー１４にディスク状記録媒体１００が保持された状態においては、アンテナ１８、１９がディスク状記録媒体１００によっても影響を受ける可能性があるが、図３に示すように、アンテナ１８、１９は、そのほとんどの部分がディスク状記録媒体１００の外周部から外方に位置されているため、ディスク状記録媒体１００による影響を受け難い。
【００３７】
通信用回路基板１７は電源供給等のために、駆動用回路基板１６にフレキシブルプリント基板２１を介して接続されている。
【００３８】
しかして、ディスク再生装置１は、上側から蓋体４、通信用回路基板１７、ホルダー１４、メカシャーシ１１、駆動用回路基板１６、本体ケース３の順に配置され、セットシャーシ１５がメカシャーシ１１を取り囲むようにして配置され、さらに、飾り帯５がセットシャーシ１５の前面部及び側面部を外方から覆うようにして取り付けられて構成される（図１及び図２参照）。
【００３９】
以上に記載した通り、ディスク再生装置１にあっては、駆動用回路基板１６と通信用回路基板１７とを各別に設け、上面にアンテナ１８、１９が取り付けられた通信用回路基板１７をメカシャーシ１１の上側に位置するホルダー１４と蓋体４との間に配置している。
【００４０】
従って、駆動用回路基板１６と通信用回路基板１７とが分離されている分、ディスク再生装置１の小型化を図ることができ、また、アンテナ１８、１９とメカシャーシ１１との距離が離れているため、アンテナ効率の向上を図ることができる。
【００４１】
また、通信用回路基板１７は蓋体４に取り付けられているため、ホルダー１４の回動動作に支障を来さないと共に通信用回路基板１７の組付が容易であり組付性の向上を図ることができる。
【００４２】
さらに、蓋体４は非磁性材料によって形成されているため、蓋体４がアンテナ１８、１９に悪影響を及ぼすことがなく、適正なアンテナ効率の維持を図ることができる。
【００４３】
尚、上記には、本発明を直径が略６４ｍｍのディスク状記録媒体に記録された情報信号の再生を行うことができるディスク再生装置に適用した場合を示したが、これに限らず、例えば、本発明はラジオ付きの再生装置等にも適用可能であり、アンテナを設けてチューナーとの間で送受信するようにしてもよい。
【００４４】
また、リモコンは、例えば、腕時計等に組み込んでリモコン操作ができるようにしてもよい。
【００４５】
さらに、上記には、ホルダー１４を金属材料によって形成したものを示したが、これに限らず、ホルダー１４を、例えば、樹脂材料等の非磁性材料によって形成してもよい。このようにホルダー１４を非磁性材料によって形成すれば、ホルダー１４によってアンテナ１８、１９に悪影響が及ぶことがない。
【００４６】
尚、上記した実施の形態において示した各部の具体的な形状及び構造は、何れも本発明の実施を行うに際しての具体化のほんの一例を示したものにすぎず、これらによって本発明の技術的範囲が限定的に解釈されることがあってはならないものである。
【図面の簡単な説明】
【００４７】
【図１】図２乃至図４と共に本発明をディスク再生装置に適用した実施の形態を示すものであり、本図はディスク再生装置の概略斜視図である。
【図２】ディスク再生装置の概略分解斜視図である。
【図３】蓋体と通信用回路基板とホルダーとの間の位置関係を示す拡大平面図である。
【図４】蓋体と通信用回路基板とを分離して示す概略拡大斜視図である。
【図５】従来の問題点を示す概念図である。
【図６】アンテナ効率と周波数との関係を示すグラフ図である。
【符号の説明】
【００４８】
１…ディスク再生装置（再生装置）、１１…メカシャーシ、１３…光学ピックアップ（信号読取部）、１６…駆動用回路基板、１７…通信用回路基板、１８…アンテナ、１９…アンテナ、１００…ディスク状記録媒体（記録媒体）
【図１】
2007122873.tif 000003
【図２】
2007122873.tif 000004
【図３】
2007122873.tif 000005
【図４】
2007122873.tif 000006
【図５】
2007122873.tif 000007
【図６】
2007122873.tif 000008